(57)【特許請求の範囲】
【請求項１】
ボトムパネルと、該ボトムパネル中の通気穴とを有する電子装置であって、
前記電子装置は、前記ボトムパネルに取り付けられる周辺スカートを有し、
前記電子装置は、前方縁部と後方縁部と２つの側縁部とを有し、
該周辺スカートは、前記通気穴を取り囲み、
前記周辺スカートは、前記ボトムパネルの前記後縁部に開口を有し、それにより、前記通気穴から該開口に向けての気流及びノイズの排出を可能にし、
前記周辺スカートは、前記ボトムパネルの前記前縁部と前記側縁部を、前記気流及びノイズから分離し、
前記後縁部は、前記電子装置がその作動環境にある場合にユーザから最も遠い側であり、
前記周辺スカートは、前記電子装置を支えるよう構成され、
前記周辺スカートは、前記電子装置に固定されるモールド成形部と、前記モールド部に固定されるストリップとを有し、
前記モールド成形部は、前記電子装置の冷却のための最小気流速を保証するよう、前記電子装置のボトムパネルと、前記電子装置が配置された場所との間の最小厚さを保証し、前記ストリップは振動を吸収する
ことを特徴とする電子装置。
【請求項２】
電子装置のボトムパネルに取り付けられて該電子装置を支える周辺スカートであって、
前記電子装置は、該ボトムパネル中に通気穴を有し、
前記電子装置は、前方縁部と後方縁部と２つの側縁部とを有し、
前記電子装置に取り付けられた場合、前記周辺スカートは、前記穴を取り囲み、前記ボトムパネルの前記後縁部に開口を有し、それにより、該開口に向けて気流及びノイズが排出され、
前記周辺スカートは、前記ボトムパネルの前記前縁部と前記側縁部を、前記気流及びノイズから分離し、
前記後縁部は、前記電子装置がその作動環境にある場合にユーザから最も遠い側であり、
前記周辺スカートは、前記電子装置に固定されるモールド成形部と、前記モールド部に固定されるストリップとを有し、
前記モールド成形部は、前記電子装置の冷却のための最小気流速を保証するよう、前記電子装置のボトムパネルと、前記電子装置が配置された場所との間の最小厚さを保証し、前記ストリップは振動を吸収する
ことを特徴とする周辺スカート。
【発明の詳細な説明】
【技術分野】
【０００１】
本発明は、装置のボトムパネルの下に取り付けられることを目的とする周辺スカートと、そのようなスカートを含む装置に係る。
【背景技術】
【０００２】
例えば、セットトップボックスといった電子装置は、ラック又はテレビ受像機といった表面上に配置されることを目的とする金属又はプラスチックボックスである。金属ボックスの底部は、通常、支持表面に直接接触しない。一般的に、ゴム又はフェルトといった振動吸収材料から形成される多数のパッドがボトムパネルに取り付けられる。このことは、装置を、その装置が配置される表面から分離させ、且つ、装置を安定化させることを可能にする。
【０００３】
特定の装置は、多数の電子構成部品を冷却するために内部ファンを必要とする。ファンは、ボックスから空気を吸引し、通気格子を介して空気を排出し、それにより、装置の中を流れる空気の適切な経路を形成する。そのようなファンにより生成されるノイズは、特定の環境では容認可能ではあるが、家庭用シネマ環境ではあまり受け入れられない。ハードディスクドライブといった他の構成部品もノイズを生成し、このノイズは通気格子を介して聞こえてしまう。
【０００４】
２０００年１１月１５日の松下電器工業株式会社からの特許文献１の発明は、電子機器製品の冷却構造に関わり、熱発生部分において発生した熱は、空気が風洞を通ることにより電子機器製品の筐体の外側に排出される。
【特許文献１】欧州特許第１０５２８８４号
【発明の開示】
【発明が解決しようとする課題】
【０００５】
従って、本発明は、装置のユーザによって知覚されるノイズを減少することを目的とする。
【課題を解決するための手段】
【０００６】
本発明は、ボトムパネルと、該ボトムパネル上の通気穴とを含む電子装置に係わり、この装置は、ボトムパネルに取り付けられる周辺スカートを含み、該周辺スカートは、通気穴を取り囲み、該周辺スカートは、ボトムパネルの１つの側部に開口を含み、それにより、該通気穴から該開口に向けてのノイズの優先的な排出を可能にすることを特徴とする。
【０００７】
本発明の１つの実施例では、ボトムパネルは、電子装置が機能状態にある場合にユーザから離れるよう方向付けられる後方側部を含み、開口は、該後方側部に向かって向けられる。
【０００８】
本発明の１つの実施例では、周辺スカートは、ボトムパネルの境界に一致する。
【０００９】
本発明の１つの実施例では、周辺スカートは、モールド成形部及びストリップを含み、該モールド成形部は、裏面及び前面を含み、該裏面は、電子装置のボトムパネルに固定され、該ストリップは、前面に固定され、モールド成形部は、電子装置の冷却のための最小気流速を保証し、ストリップは、電子装置からの振動を吸収する。
【００１０】
本発明の１つの実施例では、ファンが、電子装置内の通気穴に対して配置され、それにより、開口を通る気流を作る。
【００１１】
本発明のもう１つの目的は、電子装置のボトムパネルに取り付けられ、該電子装置は、該ボトムパネル上に通気穴を含む、周辺スカートであって、電子装置に取り付けられた場合、周辺スカートは、穴を取り囲み、且つ、ボトムパネルの１つの側部に開口を含み、それにより、該開口に向けてノイズが優先的に排出されることを特徴とする。
【００１２】
本発明の１つの実施例では、周辺スカートは、電子装置に固定されるモールド成形部と、該モールド成形部に固定されるストリップとを含み、モールド成形部は、電子装置が表面上に配置された場合に最小断面の空間を形成し、ストリップは、振動を吸収する。
【００１３】
本発明の１つの実施例では、モールド成形部は、ストリップの固定を可能にする溝を含む。
【発明を実施するための最良の形態】
【００１４】
本発明は、以下の実施例によってより良好に理解され且つ非制限的に説明する。本発明は、添付図面を参照しながら説明する。
【００１５】
図１は、Ｕ字又はより一般的に１つの側部が開いた形状を形成する周辺スカート１の背面を示す図である。周辺スカート１は、前枝部４、右枝部５、左枝部６を含む。本発明の実施例では、右枝部５及び左枝部６は、それぞれ、前枝部４と直角を形成する。
【００１６】
各枝部の端には穴７がある。各側枝部の端は、１５ｍｍ直径円で丸められる。側枝部と前枝部との間の直角部も同様に丸められる。各側枝部の端及び各直角部における円の中心は、穴７の中心に対応する。各穴７の直径は、３．５ｍｍである。前枝部４の真ん中にも穴７がある。穴は、ネジを用いてスカートを電子装置に固定するのを容易にすることを目的とする。
【００１７】
尚、これらの寸法は例示に過ぎない。他の寸法を用いてもよい。
【００１８】
図２は、正面図と、周辺スカート１の各側面図である。周辺スカート１は、モールド成形部２と、４つのストリップ３を含む。スカートは、固定ネジを受容するための５つの穴８を含む。ストリップ３は、例えば、適切な接着剤を用いて、穴８の各対の間でモールド成形部２上に固定される。
【００１９】
スカートを装置に固定するためにネジ以外の手段も当業者により想到可能である。例えば、接着剤や、スカートに付加され、装置の適切な穴と協働する弾性プラグを使用する。
【００２０】
本発明の実施例では、前枝部４、右枝部５、及び左枝部６は、１５ｍｍ幅及び５ｍｍ厚である。前枝部の長さＬ１は、３４０ｍｍである。左枝部及び右枝部の長さＬ２は、２０７ｍｍである。
【００２１】
図３は、図２に示す周辺スカートの断面ＢＢを示す図である。
【００２２】
各枝部の前面１２は、中央に縦方向の溝が付けられて丸められている。各枝部の裏面１１は平らである。周辺スカートが装置の固定されるとき、周辺スカートの裏面１１が装置と完全に接触することを可能にする。
【００２３】
周辺スカートは、穴７と、ネジ頭部８を受容することを目的とするキャビティに対応する開いた部分を含む。
【００２４】
断面ＢＢは、以下のように設計される。
【００２５】
スカートは、矩形Ｂ１Ｂ２Ｏ１Ｏ２から構成される。Ｂ１Ｂ２とＯ２Ｏ１は、７ｍｍである。Ｂ１Ｏ１及びＯ２Ｂ２は、４ｍｍである。
【００２６】
断面ＢＢは更に、２つの４分の１円から構成される。
【００２７】
・Ａ１Ｏ１Ｂ１は、直角を形成し、Ａ１Ｂ１は、Ｏ１に中心を有する４分の１円の円周上である。
【００２８】
・Ａ２Ｏ２Ｂ２は、直角を形成し、Ａ２Ｂ２は、Ｏ２に中心を有する４分の１円の円周上である。
【００２９】
断面ＢＢは、矩形ＣＤＥＦを表す開いた領域も含み、ＣＤは、８ｍｍの長さであり、ＤＥは、２ｍｍの大きさである。ＣＤの中央は、Ｂ１−Ｂ２の中央でもある。ＤＥは、Ｂ１−Ｏ１と同じ方向である。
【００３０】
最後に、断面ＢＢは、３．５ｍｍの大きさであり、断面の中央を横断する開いた領域を含む。
【００３１】
図４は、図２に示す周辺スカートの断面ＤＤを示す図である。周辺スカートは、溝３０に対応する開いた部分を含む。
【００３２】
溝９は、１ｍｍの深さ及び５ｍｍの幅を有する。モールド成形部２の溝９は、ストリップ３を受容することを目的とする。ストリップ３は、各ネジ穴８間で、ネジ穴を覆わないようにモールド成形部２上に接着される。ストリップ３は、５ｍｍの幅及び２．３６乃至３．１８ｍｍの厚さである。
【００３３】
１つの変形の実施例では、ネジ頭部は、ストリップがネジ頭部を覆うことを可能にするよう溝と比較して十分に低い。
【００３４】
断面ＢＢは、断面ＤＤと同様に、図３に示すＡ１、Ｂ１、Ｏ１、Ａ２、Ｂ２、Ｏ２に対応するＡ１’、Ｂ１’、Ｏ１’、Ａ２’、Ｂ２’、Ｏ２’を用いて設計される。
【００３５】
断面ＢＢとの違いは、断面の穴７がないことと、ネジ頭部キャビティがないことである。矩形Ｃ’Ｄ’Ｅ’Ｆ’により表される開いた領域は、図３の矩形ＣＤＥＦとは異なる長さを有する。Ｃ’Ｄ’は、５ｍｍの長さであり、Ｄ’Ｅ’は、１ｍｍの大きさである。これは溝に対応する。
【００３６】
図５は、前方縁部１４、左側縁部１６、右側縁部１５、及び後方縁部１７を含むボトムパネル１３を有する平行６面体装置１０を示す。
【００３７】
本発明の実施例では、この装置１０は、セットトップボックステレビ受像機であり、ボトムパネル１３にファン穴１８を含む。装置は更に、上述したような周辺スカート１も含み、これは、ボトムパネル１３にネジで取り付けられる。周辺スカート１は、ファン穴１８を取り囲む。周辺スカートの前枝部４は、ボトムパネル１３の境界前方縁１４に固定される。周辺スカートの右枝部５及び左枝部６は、それぞれ、ボトムパネルの右側縁部１５及び左側縁部１６に固定される。
【００３８】
この場合、空気とノイズは、装置がその作動環境に配置されたときにユーザから離れバックパネルの方向に向けられることが好適である開いた側部に送られる。従って、開いた側部は後方側部１７であるので、周辺スカート１は、気流及びノイズに関して装置１０の前側部１４、及び、側部１６及び１７の分離に貢献する。
【００３９】
本発明の実施例では、周辺スカートは、略Ｕ字型である。しかし、周辺スカートは、その形が通気開口からの空気及び／又はノイズを所定の方向に方向付ける限り、Ｖ字型、馬蹄型、弓型、又は多角形等を有することも可能である。更に、周辺スカートは、装置のボトムパネルの境界に一致する傾向がある。
【００４０】
本発明では、モールド成形部は、高衝撃ポリスチレン材料、いわゆるＨＩＰＳを用いて製造されることが好適である。ＨＩＰＳの密度値は、約１０４０ｋｇ／ｍ３である。この材料は、十分に剛性であり、また、装置の振動及び衝撃影響を低減するよう吸収性である。
【００４１】
モールド成形部の材料も、装置の上に補助重量が追加されても装置のボトムパネルと装置が置かれている場所との間の最小厚さを保証する。周辺スカートは、装置の重量下で平らにならない。このことは、装置冷却のための最小気流速を保証する。
【００４２】
本発明の実施例では、ストリップ３は、高密度ウレタンプラスチック材料を用いて製造される。密度値は、２４０と４８０ｋｇ／ｍ３の間である。ストリップ材料は、衝撃吸収を高め、振動を減衰する。
【００４３】
上述した装置は、セットトップボックスである。装置は、ボトムパネルを含み、安定性を高めるために周辺スカートを必要とする任意のタイプの装置であることが可能である。装置は、通気孔を有するボトムパネルを含む任意のタイプの装置であることが可能である。
【図面の簡単な説明】
【００４４】
【図１】本発明の１つの実施例による周辺スカートを示す背面図である。
【図２】図１の周辺スカートのモールド成形部を示す正面図と各側面図である。
【図３】図２に示す断面ＢＢを示す図である。
【図４】図２に示す断面ＤＤを示す図である。
【図５】周辺スカートを含む装置を示す図である。
【符号の説明】
【００４５】
１  周辺スカート
２  モールド成形部
３  ストリップ
４  前枝部
５  右枝部
６  左枝部
７  穴
８  ねじ頭部
９  溝
１０  平行６面体
１１  各枝部の裏面
１２  各枝部の前面
１３  ボトムパネル
１４  前方縁部
１５  右側縁部
１６  左側縁部
１７  後方縁部
１８  ファン穴
３０  溝
【図１】
0005139653.tif 000002
【図２】
0005139653.tif 000003
【図３】
0005139653.tif 000004
【図４】
0005139653.tif 000005
【図５】
0005139653.tif 000006